(57)【要約】【課題】光変調素子の冷却性能の悪化を軽減しつつ、光センサを良好に配置できる投写型表示装置を提供する。【解決手段】プロジェクタは、ランプ装置１００からの光を変調する３つの液晶パネル３１０、３２０、３３０と、各液晶パネル３１０、３２０、３３０から出射された光を合成するダイクロイックプリズム３４０と、検出対象の液晶パネル３２０とダイクロイックプリズム３４０の上側に配され、これらの隙間から漏れる光を検出する光センサユニット４００と、各液晶パネル３１０、３２０、３３０の下側から上方に向けて空気を吹き出す冷却装置４とを備える。光センサユニット４００は、光センサ４１０と基板４１１とを含む。基板４１１は、冷却装置４からの空気の吹出方向に垂直な平面に対して傾けられる。【選択図】図４
2012047987.tif 000002
【特許請求の範囲】
【請求項１】
光源からの光を変調する複数の光変調素子と、
各光変調素子と所定の間隔を有して配され、前記各光変調素子から出射された光を合成する光合成素子と、
前記複数の光変調素子のうち検出対象の光変調素子と前記光合成素子の上側に配され、前記検出対象の光変調素子と前記光合成素子との間の隙間から漏れた光を検出する光センサユニットと、
前記各光変調素子の下側から上方に向けて空気を吹き出して前記各光変調素子を冷却する冷却装置と、を備え、
前記光センサユニットは、光センサと、前記光センサが実装される基板とを含み、
前記基板は、前記冷却装置からの空気の吹出方向に垂直な平面に対して傾けられる、
ことを特徴とする投写型表示装置。
【請求項２】
請求項１に記載の投写型表示装置において、
前記基板は、前記空気の吹出方向から見て、前記光合成素子に重なる第１の部位と、前記検出対象の光変調素子と前記光合成素子との間に臨み、前記光センサが実装される第２の部位を含み、
前記空気の吹出方向から見たとき、前記第１の部位と前記第２の部位の並び方向に垂直な方向における幅が、前記第１の部位よりも前記第２の部位の方が小さくなっている、
ことを特徴とする投写型表示装置。
【請求項３】
請求項２に記載の投写型表示装置において、
前記基板は、前記検出対象の光変調素子からの光の出射方向に垂直な面の面内方向に傾けられる、
ことを特徴とする投写型表示装置。
【請求項４】
請求項１に記載の投写型表示装置において、
前記基板は、前記空気の吹出方向から見て、前記光合成素子に重なる第１の部位と、前記検出対象の光変調素子と前記光合成素子との間に臨み、前記光センサが実装される第２の部位を含み、
前記基板は、前記検出対象の光変調素子からの光の出射方向に垂直な面の面内方向に傾けられる、
ことを特徴とする投写型表示装置。
【請求項５】
請求項１ないし４の何れか一項に記載の投写型表示装置において、
前記光合成素子の上側に設けられ、前記光合成素子と前記各光変調素子とを連結する連結部材と、
前記基板を、傾いた状態で前記連結部材に取り付けるための取付部材と、を備えた、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
投写型表示装置（以下、「プロジェクタ」という）は、光源から出射された光を導光光学系により光変調素子へと導き、光変調素子により変調された光（以下、「映像光」という）を被投写面に投写する構成を有している。たとえば、いわゆる３板式のプロジェクタでは、赤色、緑色、青色の光が、対応する光変調素子にて変調される。そして、変調された３つの光が光合成素子にて合成され、映像光が生成される。
【０００３】
プロジェクタが長く使用されると、光源や変調素子が劣化し、光源の輝度が低下したり、光変調素子の透過率が低下したりする。これにより、投写される画像の輝度が適正に得られなくなる虞がある。
【０００４】
そこで、かかるプロジェクタにおいて、光変調素子から出射された光を光センサによって検出し、検出結果に基づいて光変調素子や光源の状態（劣化の有無）を判断するような構成が採られ得る（たとえば、特許文献１参照）。
【０００５】
上記のような３板式のプロジェクタでは、たとえば、光変調素子と光合成素子の間の位置であって、これら素子の近傍に光センサが配され得る。この場合、光合成素子へ入射する際に漏れた光が光センサにより検出され、これにより、光変調素子から出射された光が間接的に検出される。このようにすれば、光変調素子から出射された光の光路中に光センサが配されないため、光路を通る光の一部が光センサに干渉する虞がなく、画像劣化の懸念がない。また、光合成素子の入射側での光の漏れ量は比較的大きいため、光量の変化を検出しやすい。
【先行技術文献】
【特許文献】
【０００６】
【特許文献１】特開２０１０−５４７１２号公報
【発明の概要】
【発明が解決しようとする課題】
【０００７】
通常、光センサは、光センサを動作させるための周辺回路とともに、基板に実装される。よって、光センサが実装された基板を設置する必要があるため、設置スペースや取り付け易さの関係から、光センサは、光変調素子と光合成素子の間であって、これら素子の上方（プロジェクタ本体の上面側）に配置されるのが望ましい。
【０００８】
一方、光変調素子には、運転時の発熱を抑えるため、外部から取り込んだ空気が吹き付けられる。光変調素子を効率的に冷却するためには、光変調素子に対し、下方（プロジェクタ本体の底面側）から空気を吹き付けることが望ましい。
【０００９】
しかしながら、光センサを、光変調素子と光合成素子の間であって、これら素子の上方に配置しようとすると、下から上へ流れる空気の流路中に、光センサおよび基板が存在することになる。これにより、空気の流れが悪くなって、光変調素子の冷却性能が悪くなる虞がある。
【００１０】
本発明は、かかる課題に鑑みてなされたものであり、光変調素子の冷却性能の悪化を軽
減しつつ、光センサを良好に配置できる投写型表示装置を提供することを目的とする。
【課題を解決するための手段】
【００１１】
本発明の投写型表示装置は、光源からの光を変調する複数の光変調素子と、各光変調素子と所定の間隔を有して配され、前記各光変調素子から出射された光を合成する光合成素子と、前記複数の光変調素子のうち検出対象の光変調素子と前記光合成素子の上側に配され、前記検出対象の光変調素子と前記光合成素子との間の隙間から漏れた光を検出する光センサユニットと、前記各光変調素子の下側から上方に向けて空気を吹き出して前記各光変調素子を冷却する冷却装置とを備える。ここで、前記光センサユニットは、光センサと、前記光センサが実装される基板とを含む。さらに、前記基板は、前記冷却装置からの空気の吹出方向に垂直な平面に対して傾けられる。
【００１２】
本発明の投写型表示装置によれば、前記基板が、前記冷却装置からの空気の吹出方向に垂直な平面に対して傾けられているため、冷却装置から吹き出された空気は、前記基板の面および光センサの受光面に沿うように流れる。このため、基板および光センサによって空気の流れがせき止められにくい。よって、光変調素子を冷却する空気の流れが悪くなりにくく、冷却性能が低下しにくい。
【００１３】
本発明の投写型表示装置において、前記基板は、前記空気の吹出方向から見て、前記光合成素子に重なる第１の部位と、前記検出対象の光変調素子と前記光合成素子との間に臨み、前記光センサが実装される第２の部位を含むような構成とされ得る。この場合、前記空気の吹出方向から見たとき、前記第１の部位と前記第２の部位の並び方向に垂直な方向における幅が、前記第１の部位よりも前記第２の部位の方が小さくなっている。
【００１４】
このような構成とすれば、空気の流れに晒される第２の部位は幅が小さいので、空気の流れが妨げられにくい。また、第１の部位は幅が大きいので、光センサを動作させるための周辺回路を十分に実装することができる。
【００１５】
この構成において、前記基板は、前記検出対象の光変調素子からの光の出射方向に垂直な面の面内方向に傾けられるような構成とされ得る。
【００１６】
このような構成とすれば、基板が傾けられても、第１の部位が光変調素子や光合成ユニットから大きく離れることがなく、漏れ光を良好に検出することができる。
【００１７】
本発明の投写型表示装置において、前記基板は、前記空気の吹出方向から見て、前記光合成素子に重なる第１の部位と、前記検出対象の光変調素子と前記光合成素子との間に臨み、前記光センサが実装される第２の部位を含むような構成とされ得る。この場合、前記基板は、前記検出対象の光変調素子からの光の出射方向に垂直な面の面内方向に傾けられる。
【００１８】
このような構成とすれば、基板が傾けられても、第１の部位が光変調素子や光合成ユニットから大きく離れることがなく、漏れ光を良好に検出することができる。
【００１９】
本発明の投写型表示装置において、前記光合成素子の上側に設けられ、前記光合成素子と前記各光変調素子とを連結する連結部材と、前記基板を、傾いた状態で前記連結部材に取り付けるための取付部材とを、さらに備えるような構成とされ得る。
【００２０】
このような構成とすれば、取付部材によって、基板を、傾けた状態で連結部材に容易に固定することができる。
【発明の効果】
【００２１】
以上のとおり、本発明によれば、光変調素子の冷却性能の悪化を軽減しつつ、光センサを良好に配置できる投写型表示装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係るプロジェクタの構成を示す外観斜視図である。
【図２】実施の形態に係る光学エンジンの構成を示す図である。
【図３】実施の形態に係る表示ユニットおよび冷却装置の構成を示す図である。
【図４】実施の形態に係る光センサユニットの構成、および光センサユニットの表示ユニットへの取付構造について説明するための図である。
【図５】実施の形態に係る液晶パネルとダイクロイックプリズムの間の冷却風の流れを示す図である。
【図６】実施の形態に係る制御回路ユニットの構成について説明するための図である。
【図７】実施の形態に係るランプの輝度を調節するための制御処理のフローチャートである。
【図８】変更例に係る光センサユニットの構成を示す図である。
【図９】その他の変更例に係る光センサユニットの構成を示す図である。
【発明を実施するための形態】
【００２４】
以下、図面を参照して、実施の形態に係るプロジェクタについて説明する。
【００２５】
図１は、プロジェクタの構成を示す外観斜視図である。同図を参照して、プロジェクタは、略直方体形状を有する本体キャビネット１を備えている。本体キャビネット１の前面には投写窓２が形成されており、投写レンズ３が投写窓２から外部に露出している。本体キャビネット１内には、光学エンジン４および冷却装置５が配されている。光学エンジン４は、映像信号に基づく映像光を生成し、投写レンズ３へ出力する。投写レンズ３は、光学エンジン４で生成された映像光を、プロジェクタの前方に配された被投写面に拡大投写する。冷却装置５は、本体キャビネット１の側面に設けられた吸気口６から外気を取り込み、取り込んだ外気を、光学エンジン４を構成する液晶パネル等に供給し、これらを冷却する。
【００２６】
図２は、光学エンジン４の構成を示す図である。
【００２７】
図２を参照して、光学エンジン４は、ランプ装置１００と、導光光学系２００と、光変調・合成系３００により構成されている。
【００２８】
ランプ装置１００は、白色の光を発するランプ１０１と、ランプ１０１から発せられた光を反射するリフレクター１０２とを備えている。ランプ１０１としては、たとえば、超高圧水銀ランプ、キセノンランプ等が用いられる。
【００２９】
導光光学系２００は、フライアイインテグレータ２０１と、ＰＢＳアレイ２０２と、コンデンサレンズ２０３、２０８、２１１、２１２と、リレーレンズ２０６、２０７と、ダイクロイックミラー２０４、２０５と、反射ミラー２０９、２１０、２１３とを備えている。
【００３０】
ランプ装置１００から出射された光は、フライアイインテグレータ２０１、ＰＢＳアレイ２０２を通過する。フライアイインテグレータ２０１は、各液晶パネルに照射される各色光の光量分布を均一化させ、ＰＢＳアレイ２０２は、ダイクロイックミラー２０４に向かう光の偏光方向を一方向に揃える。
【００３１】
ＰＢＳアレイ２０２を通過した光は、コンデンサレンズ２０３を通過してダイクロイックミラー２０４に入射する。
【００３２】
ダイクロイックミラー２０４は、入射した光のうち、赤色波長帯の光（以下、「Ｒ光」という）および緑色波長帯の光（以下、「Ｇ光」という）を反射し、青色波長帯の光（以下、「Ｂ光」という）を透過する。
【００３３】
ダイクロイックミラー２０４で反射したＲ光およびＧ光は、ダイクロイックミラー２０５に入射する。ダイクロイックミラー２０５は、Ｇ光を反射するとともにＲ光を透過する。
【００３４】
ダイクロイックミラー２０５を通過したＲ光は、コンデンサレンズ２０３、２０８およびリレーレンズ２０６、２０７によるレンズ作用と、反射ミラー２０９、２１０による反射によって、適正な照射状態にて赤色用の液晶パネル３１０に照射される。
【００３５】
ダイクロイックミラー２０５により反射されたＧ光は、コンデンサレンズ２０３、２１１によるレンズ作用によって、適正な照射状態にて緑色用の液晶パネル３２０に照射される。
【００３６】
ダイクロイックミラー２０４を透過したＢ光は、コンデンサレンズ２０３、２１２によるレンズ作用と反射ミラー２１３による反射によって、適正な照射状態にて青色用の液晶パネル３３０に照射される。
【００３７】
光変調・合成系３００は、赤色用の液晶パネル３１０と、緑色用の液晶パネル３２０と、青色用の液晶パネル３３０と、ダイクロイックプリズム３４０とを備えている。各液晶パネル３１０、３２０、３３０の入射側には、それぞれ、入射側偏光板３１１、３２１、３３１、が配されている。また、各液晶パネル３１０、３２０、３３０の出射側には、それぞれ、２枚の出射側偏光板３１２、３２２、３３２が配されている。
【００３８】
Ｒ光は、入射側偏光板３１１を介して液晶パネル３１０に入射する。液晶パネル３１０は、赤色用の映像信号に応じて駆動され、その駆動状態に応じてＲ光を変調する。Ｇ光は、入射側偏光板３２１を介して液晶パネル３２０に入射する。液晶パネル３２０は、緑色用の映像信号に応じて駆動され、その駆動状態に応じてＧ光を変調する。Ｂ光は、入射側偏光板３３１を介して液晶パネル３３０に入射する。液晶パネル３３０は、青色用の映像信号に応じて駆動され、その駆動状態に応じてＢ光を変調する。
【００３９】
液晶パネル３１０、３２０、３３０によって変調されたＲ光、Ｇ光、Ｂ光は、出射側偏光板３１２、３２２、３３２を通過してダイクロイックプリズム３４０に入射する。ダイクロイックプリズム３４０は、Ｒ光、Ｇ光およびＢ光のうち、Ｒ光とＢ光を反射するとともにＧ光を透過し、これにより、Ｒ光、Ｇ光およびＢ光を色合成する。こうして、色合成された映像光が、ダイクロイックプリズム３４０から投写レンズ３に向けて出射される。
【００４０】
図３は、表示ユニットＤおよび冷却装置５の構成を示す図である。図３（ａ）は表示ユニットＤおよび冷却装置５の斜視図であり、図４（ｂ）は送風ダクト５３０の要部の斜視図である。なお、図３（ａ）では、便宜上、表示ユニットＤ以外の光学エンジン４の構成
が図示省略されている。
【００４１】
光変調・合成系３００のうち、液晶パネル３１０、３２０、３３０、出射側偏光板３１２、３２２、３３２およびダイクロイックプリズム３４０は、ダイクロイックプリズム３４０の上部に配される連結部材３５０に組み付けられることによって、表示ユニットＤとしてユニット化されている。表示ユニットＤには、光センサユニット４００が取り付けられている。光センサユニット４００の構成および表示ユニットＤへの取付構造については追って説明する。
【００４２】
冷却装置５は、２つのパネル冷却ファン５１０、５２０と送風ダクト５３０によって構成されている。パネル冷却ファン５１０、５２０は、本体キャビネット１内において、吸気口６の近くに配されている。パネル冷却ファン５１０、５２０は、吸込口５１１、５２１を有し、吸気口６を介して吸込口５１１、５２１から取り込んだ外気を送風ダクト５３０へ送る。
【００４３】
送風ダクト５３０は、ダクト本体５３１を有している。ダクト本体５３１は、光学エンジン４の下方に配されている。ダクト本体５３１の上面において、赤色用の液晶パネル３１０の下方には、第１吹出口５３２および第２吹出口５３３が形成されている。また、緑色用に対する液晶パネル３２０の下方には、第１吹出口５３４および第２吹出口５３５が形成されており、青色用の液晶パネル３３０の下方には、第１吹出口５３６および第２吹出口５３７が形成されている。
【００４４】
第１吹出口５３２、５３４、５３６からは、各液晶パネル３１０、３２０、３３０および出射側偏光板３１２、３２２、３３２に向けて冷却風が吹き出される。一方、第２吹出口５３３、５３５、５３７からは、図３（ａ）には図示されていない入射側偏光板３１１、３２１、３３１に向けて冷却風が吹き出される。このとき、第１吹出口５３２、５３４、５３６から吹出し、各液晶パネル３１０、３２０、３３０とダイクロイックプリズム３４０との間を通る冷却風は、本体キャビネット１の底面と略垂直な方向に流れることとなる。
【００４５】
ダクト本体５３１内部では、各吹出口からの風量が調整されるよう流路が構成されており、第１吹出口５３２、５３４、５３６からの風量が、第２吹出口５３３、５３５、５３７からの風量に比べて大きくなるよう調整されている。このように風量が調整されているのは、液晶パネル３１０、３２０、３３０および出射側偏光板３１２、３２２、３３２での発熱が多いためである。また、Ｇ光に対する第１吹出口５３４、Ｂ光に対する第１吹出口５３６、Ｒ光に対する第１吹出口５３２の順に風量が大きくなるよう調整されている。これは、Ｇ光、Ｂ光、Ｒ光の順に変調の際の発熱が多くなるためである。
【００４６】
図４は、光センサユニット４００の構成、および光センサユニット４００の表示ユニットＤへの取付構造について説明するための図である。図４（ａ）は、表示ユニットＤの斜視図であり、図４（ｂ）は緑色用の液晶パネル３２０側から見た表示ユニットＤの側面図である。また、図４（ｃ）は、光センサ４１０の臨界角度αについて説明するための図である。なお、図４（ａ）では、便宜上、液晶パネル３１０、３３０および出射側偏光板３１２、３３２が図示省略されている。また、図４（ｂ）では、便宜上、液晶パネル３１０、３２０、３３０および出射側偏光板３１２、３２２、３３２が図示省略されている。図４（ａ）、（ｂ）では、緑色用の液晶パネル３２０を正面から見て、液晶パネル３２０の前後方向を、図示の構成における前後方向と定義し。同様に、液晶パネル３２０の左右方向および上下方向を、それぞれ、図示の構成における左右方向および上下方向と定義している。そして。前後左右および上下の方向が矢印にて示されている。
【００４７】
図４を参照して、連結部材３５０の上面には、光センサユニット４００が、取付部材３６０により取り付けられている。
【００４８】
光センサユニット４００は、光センサ４１０と、光センサ４１０が実装される基板４１１とを備えている。光センサ４１０は、照射された光の量（照度）に応じた検出信号を出力する。
【００４９】
基板４１１は、上方から見て、連結部材３５０の上面、即ちダイクロイックプリズム３４０の上面に重なる第１の部位４１２と、液晶パネル３２０とダイクロイックプリズム３４０の間に臨む第２の部位４１３により構成されている。前記第２の部位４１３は、前記第１の部位４１２の前端であって、左端部側に形成されている。第１の部位４１２と第２の部位４１３は、四角い形状を有している。また、第２の部位４１３は、上方から見たときに、左右方向の幅が、第１の部位４１２の左右方向の幅よりも小さくされている。即ち、基板４１１は、液晶パネル３２０とダイクロイックプリズム３４０の間に臨む先端部分が細くされている。
【００５０】
光センサ４１０は、第２の部位４１３の下面側に実装されている。基板４１１の下面側には、光センサ４１０の他、光センサ４１０を動作させるための周辺回路を構成するチップ部品が実装されている。チップ部品の多くは、第１の部位４１２の下面側に実装されている。
【００５１】
取付部材３６０は、基板４１１が取り付けられる基板取付部３６１と、連結部材３５０に取り付けられるフランジ部３６２を備えている。基板取付部３６１は、基板４１１が取り付けられる取付面が傾斜しており、この取付面に基板４１１がビス３７１により取り付けられる。また、取付部材３６０は、フランジ部３６２が連結部材３５０の上面にビス３７２により取り付けられる。これにより、図４（ｂ）に示すように、基板４１１は、本体キャビネット１の底面に平行な面、即ち、第１吹出口５３４から吹き出される冷却風の吹出方向に垂直な面に対し、基板４１１の右端部側が高く左端部側が低くなるように、所定の角度θだけ傾いた状態で、連結部材３５０に固定されている。
【００５２】
基板４１１に実装された光センサ４１０は、液晶パネル３２０とダイクロイックプリズム３４０の間であって、これらの素子よりも少し上方に位置する。光センサ４１０は、これら液晶パネル３２０とダイクロイックプリズム３４０の間に隙間から漏れた光（漏れ光）を検出する。液晶パネル３２０からの光は、ダイクロイックプリズム３４０に入射する際、入射面でわすかに反射する。たとえば、この反射光が漏れ光として、光センサ４１０に検出される。これにより、液晶パネル３２０から出射される光量が間接的に検出される。
【００５３】
図５は、液晶パネル３２０とダイクロイックプリズム３４０の間の冷却風の流れを示す図である。
【００５４】
図５の矢印に示すように、第１吹出口５３４から吹き出された冷却風は、液晶パネル３２０とダイクロイックプリズム３４０の間を下から上へ流れる。このとき、冷却風の一部は、液晶パネル３２０とダイクロイックプリズム３４０の間に臨む基板４１１の第２の部位４１３の下面や光センサ４１０に当たる。第２の部位４１３の下面は、上記のように傾斜しているため、冷却風は第２の部位４１３の下面や光センサ４１０に沿って上方へ流れる。よって、冷却風の流れが第２の部位４１３や光センサ４１０によってせき止められにくい。
【００５５】
光センサ４１０は指向性を有している。即ち、図４（ｃ）に示すように、光センサ４１
０は、受光面の中心軸Ｐに対して所定の臨界角度αを有している。光センサ４１０は、臨界角度αを外れた方向からの光を取り込むことができない。また、臨界角度αに近くなるほど、光を取り込みにくくなる。
【００５６】
漏れ光は、光センサ４１０の下方から光センサ４１０に入射する。よって、図４（ｂ）に示す傾き角θが大きくなれば、基板４１１、即ち第２の部位４１３の冷却風の流れに対する抵抗は小さくなるものの、光センサ４１０が漏れ光を検出しにくくなる。基板４１１の傾き角θが、光センサ４１０の臨界角度αを超えてしまうと、光センサ４１０により漏れ光がほとんど検出できなくなる。したがって、基板４１１の傾き角θは、少なくとも光センサ４１０の臨界角度αより小さな値とされ、さらに、光センサ４１０による検出性能と冷却装置５による冷却性能の双方を考慮して、その値が決定される。たとえば、基板４１１の傾き角θは、臨界角度αの半分程度の値とされ得る。
【００５７】
図６は、制御回路ユニット７の構成について説明するための図である。図６（ａ）は制御回路ユニット７のブロック図である。図６（ｂ）は、複数のランプモードに対応する光センサ４１０での検出照度の適正範囲が設定されたテーブルを示す図である。
【００５８】
本体キャビネット１内には、ランプ装置１００や各液晶パネル３１０、３２０、３３０等を駆動制御するため、制御回路ユニット７が配されている。制御回路ユニット７は、制御部５０１と、記憶部５０２と、操作部５０３と、映像信号入力部５０４と、映像信号処理部５０５と、パネル駆動部５０６と、ファン駆動部５０７と、ランプ駆動部５０８とを備えている。
【００５９】
操作部５０３は、本体キャビネット１の所定位置に運転開始／停止ボタン等、複数の操作ボタン（図示せず）を有し、操作ボタンに応じた操作信号を出力する。
【００６０】
映像信号入力部５０４は、コンポジット信号、ＲＧＢ信号などの各種映像信号に対応する各種入力端子を備え、外部から入力された映像信号を映像信号処理部５０５へ出力する。
【００６１】
映像信号処理部５０５は、映像信号入力部５０４を介して入力された映像信号に各種処理を施して、各液晶パネル３１０、３２０、３３０に適する映像信号を生成し、パネル駆動部５０６に出力する。パネル駆動部５０６は、入力された映像信号および制御部５０１からの制御信号に従って各液晶パネル３１０、３２０、３３０を駆動する。
【００６２】
ファン駆動部５０７は、制御部５０１からの制御信号に従って、パネル冷却ファン５１０、５２０およびランプ冷却ファン６００を駆動する。ランプ冷却ファン６００は、ランプ装置１００を冷却する。
【００６３】
ランプ駆動部５０８は、制御部５０１からの制御信号に応じた駆動電圧を出力して、ランプ１０１を駆動する。ランプ１０１は、駆動電圧に応じた輝度で発光する。
【００６４】
記憶部５０２は、ＲＡＭ、ＲＯＭ等で構成されている。記憶部５０２には、制御部５０１に制御機能を付与するための制御プログラムが記憶されている。また、記憶部５０２には、図６（ｂ）に示すように、光センサ４１０で検出される照度の適正範囲がランプモード毎に設定されたテーブルが保持されている。
【００６５】
本実施の形態では、たとえば、「Ｅｃｏ」、「Ｎｏｒｍａｌ」、「Ｈｉｇｈ」の３つのランプモードが設定可能である。「Ｅｃｏ」のランプモードは、ランプ１０１を通常よりも低い輝度で発光させる、即ち、駆動電圧を低く抑えることにより、消費電力を低く抑え
るモードである。「Ｎｏｒｍａｌ」のランプモードは、ランプ１０１を通常の輝度で発光させるモードである。「Ｈｉｇｈ」のランプモードは、周囲が明るい環境下でプロジェクタを使用する際に用いられるモードであり、ランプ１０１を通常よりも高い輝度で発光させるモードである。各ランプモードにおいて、ランプ１０１が適正な輝度で発光しているとき、あるいは、液晶パネル３２０に劣化がないときには、光センサ４１０で検出される照度がテーブルに設定された適正範囲内の値となる。
【００６６】
制御部５０１は、ＣＰＵを備える。操作部５０３からの操作信号に基づき、記憶部５０２に記憶された制御プログラムに従って、各液晶パネル３１０、３２０、３３０、映像信号処理部５０５、パネル駆動部５０６、ファン駆動部５０７、ランプ駆動部５０８を制御する。また、制御部５０１は、光センサ４１０からの検出信号、即ち、光センサ４１０により検出される照度に基づいて、ランプ１０１が適正な輝度で発光するように、ランプ１０１の駆動電圧を調節する。
【００６７】
図７は、ランプ１０１の輝度を調節するための制御処理のフローチャートである。
本実施の形態では、ランプ１０１の駆動電圧を調節するランプ調節モードが設けられている。ユーザにより、ランプ調節モードを実行するための操作がなされると、この制御処理が実行される。ランプ調整モードでは、調整用の映像信号、たとえば、白一色の画像を投写する映像信号により、液晶パネル３１０、３２０、３３０が駆動される。
【００６８】
図７を参照して、制御部５０１は、光センサ４１０により、液晶パネル３２０とダイクロイックプリズム３４０の間の漏れ光による照度を検出する（Ｓ１）。そして、制御部５０１は、記憶部５０２に保持されたテーブルを参照することにより、検出された照度が、ランプモード毎に設定された適正範囲を外れているか否かを判定する（Ｓ２）。
【００６９】
制御部５０１は、検出された照度が適正範囲内であれば、ランプ１０１の駆動電圧を現在のランプモードに設定された初期の駆動電圧に維持する（Ｓ３）。
【００７０】
ランプ１０１や液晶パネル３２０は、使用時間が長くなると次第に劣化し、初期の駆動電圧を印加しても、ランプ１０１が適正な輝度で発光しなくなったり、液晶パネル３２０の透過率が低下したりする。これにより、液晶パネル３２０から出射される光が弱くなり、検出された照度が適正範囲内でなくなると、制御部５０１は、検出された照度が適正範囲内になるように駆動電圧を調節する（Ｓ４）。調節後の駆動電圧は、記憶部５０２に記憶され、以降、再び適正範囲から外れたと判定されるまで、この駆動電圧がランプ１０１に印加される。
【００７１】
なお、ランプ１０１や液晶パネル３２０の劣化が大きくなった場合、「Ｈｉｇｈ」のランプモードでは、調節可能な最大の駆動電圧を印加しても、適正範囲内とならないことが起き得る。この場合は、適正範囲内とならなくても、最大の駆動電圧がランプ１０１に印加されることとなる。
【００７２】
以上、本実施の形態では、液晶パネル３２０とダイクロイックプリズム３４０の間の隙間から漏れる光を検出するため、光センサ４１０が実装された基板４１１（第２の部位４１３）が、液晶パネル３２０とダイクロイックプリズム３４０の間を下から上に流れる冷却風に晒される。しかしながら、本実施の形態では、基板４１１が、冷却風の流れ方向と垂直な面に対して傾けて配されているので、冷却風の流れをせき止めにくくすることができる。よって、液晶パネル３２０に対する冷却性能が悪くなるのを抑えることができる。
【００７３】
また、本実施の形態では、冷却風の流れに晒される第２の部位４１３は幅が小さいので冷却風の流れが妨げられにくい。また、第１の部位４１２は幅が大きいので、光センサ４
１０を動作させるための周辺回路を十分に実装することができる。
【００７４】
さらに、本実施の形態では、第２の部位４１３が、第１の部位４１２の前端（液晶パネル３２０側）であって、連結部材３５０の上面から低い右端部側に形成されているので、連結部材３５０の上面から高い左端部側に形成される場合に比べて、光センサ４１０と液晶パネル３２０やダイクロイックプリズム３４０との距離を近くできる。よって、光センサ４１０により漏れ光を良好に検出することができる。
【００７５】
また、本実施の形態では、基板４１１が、左右方向に沿って傾けられている、即ち、液晶パネル３２０からの光の出射方向に垂直な面の面内方向に傾けられているので、基板４１１が傾けられたときに、第２の部位４１３が、液晶パネル３２０やダイクロイックプリズム３４０から大きく離れてしまわない。よって、光センサ４１０により漏れ光を良好に検出することができる。
【００７６】
なお、基板４１１が前後方向に沿うように傾けられる場合には、冷却風を前方側に逃がす必要があるため、第２の部位４１３側が高くなるように傾けられる。よって、光センサ４１０が液晶パネル３２０やダイクロイックプリズム３４０から大きく離れてしまう。
【００７７】
さらに、本実施の形態では、取付部材３６０によって、基板４１１を、所定の傾き角θに傾けた状態で連結部材３５０に容易に固定することができる。
【００７８】
＜変更例＞
図８は、変更例に係る光センサユニット４００の構成を示す図である。なお、図８では、便宜上、液晶パネル３１０、３３０および出射側偏光板３１２、３３２が図示省略されている。
【００７９】
本変更例では、基板４１１の第２の部位４１３の形状が、上記実施の形態と異なっている。即ち、第２の部位４１３は、右側が斜めにカットされ、液晶パネル３２０へ近づくに従って幅が徐々に小さくなるような形状（先細り形状）を有している。その他の構成については、上記実施の形態と同様である。
【００８０】
本変更例の構成によっても、上記実施の形態と同様な作用効果を奏することができる。
【００８１】
＜その他の変更例＞
本発明の実施形態は、上記実施の形態や変更例以外に、さらに種々の変更が可能である。
【００８２】
図９は、その他の変更例に係る光センサユニット４００の構成を示す図であり、表示ユニットＤを上方から見た図である。なお、図９では、便宜上、液晶パネル３１０、３３０および出射側偏光板３１２、３２２、３３２が図示省略されている。
【００８３】
たとえば、図９（ａ）、（ｂ）に示すように、上記実施の形態と同じ形状の第２の部位４１３を、第１の部位４１２の前端であって、右端部側や中央に形成するようにしても良い。また、図９（ｃ）に示すように、第２の部位４１３を、左側が斜めにカットされて先細りとなる形状としたり、図９（ｄ）に示すように、第２の部位４１３を、左右が斜めにカットされて先細りとなる形状としたりしても良い。ただし、これらの構成とした場合には、上記実施の形態の構成や変更例の構成に比べて、光センサ４１０が液晶パネル３２０やダイクロイックプリズム３４０から上方に離れてしまう。
【００８４】
また、上記実施の形態では、緑色用の液晶パネル３２０とダイクロイックプリズム３４
０の間に光センサ４１０が配され、液晶パネル３２０が光センサ４１０の検出対象とされている。しかしながら、これに限らず、赤色用の液晶パネル３１０や青色用の液晶パネル３３０とダイクロイックプリズム３４０の間に光センサ４１０が配され、これら液晶パネル３１０、３３０が検出対象とされても良い。また、３つの液晶パネル３１０、３２０、３３０の何れか１つでなく、何れか２つ、あるいは全ての液晶パネルとダイクロイックプリズム３４０との間に、それぞれに対応する光センサ４１０が配されても良い。
【００８５】
また、全ての液晶パネル３１０、３２０、３３０とダイクロイックプリズム３４０との間に、それぞれ光センサ４１０が配される場合には、Ｒ光、Ｇ光、Ｂ光をそれぞれ出射する３つの光源を用いることもできる。この場合、各光センサ４１０で検出される照度に基づいて、各光源の出力（輝度）を調整することにより、色合いの調整を行うことができる。
【００８６】
さらに、上記実施の形態では、光量（照度）を検出する光センサ４１０が用いられているが、これに限らず、使用目的によっては、特定の色（波長帯）の光を検出する光センサが用いられても良い。
【００８７】
また、上記実施の形態では、光源として、ランプ装置１００が用いられているが、これに限らず、ＬＥＤ光源やレーザ光源が用いられても良い。
【００８８】
さらに、上記実施の形態のプロジェクタは、単灯式のプロジェクタであるが、多灯式のプロジェクタであってもよい。
【００８９】
この他、本発明の実施の形態は、特許請求の範囲に示された技術的思想の範囲内において、適宜、種々の変更が可能である。
【符号の説明】
【００９０】
４  光学エンジン
５  冷却装置
１００  ランプ装置（光源）
３００  光変調・合成系
３１０  赤色用の液晶パネル（光変調素子）
３２０  緑色用の液晶パネル（光変調素子）
３３０  青色用の液晶パネル（光変調素子）
３４０  ダイクロイックプリズム（光合成素子）
３５０  連結部材
３６０  取付部材
４００  光センサユニット
４１０  光センサ
４１１  基板
４１２  第１の部位
４１３  第２の部位
【図１】
2012047987.tif 000003
【図２】
2012047987.tif 000004
【図３】
2012047987.tif 000005
【図４】
2012047987.tif 000006
【図５】
2012047987.tif 000007
【図６】
2012047987.tif 000008
【図７】
2012047987.tif 000009
【図８】
2012047987.tif 000010
【図９】
2012047987.tif 000011